(57)【要約】【課題】タブの変形や破損が生じるのを確実に防止する。【解決手段】キャップ３０は、タブ４１の周りを取り囲むキャップ本体３１と、このキャップ本体３１に設けられてコネクタハウジング１０の被係合部１２と係合することにより、キャップ本体３１をコネクタハウジング１０にロック可能とする係合部３５とを備える。コネクタハウジング１０がコネクタ収容部２２に挿入されるときに、キャップ本体３１は、コネクタ収容部２２の口縁と当接することで係合部３５によるロックを解除させる。したがって、コネクタハウジング１０のみがコネクタ収容部２２に収容される。【選択図】  図１
2004327076.tif 000002
【特許請求の範囲】
【請求項１】
枠状のコネクタ収容部に収容保持されるコネクタハウジングと、このコネクタハウジングのキャビティに挿入されて先端のタブを前記コネクタハウジングの前面から突出させた状態で配する雄型端子金具とを備えたコネクタに対し、前記コネクタハウジングが前記コネクタ収容部に収容される前の状態で前記タブを保護する仮保護用のキャップであって、
前記タブの周りを取り囲むキャップ本体と、このキャップ本体に設けられて前記コネクタハウジング側の被係合部と係合することにより、前記キャップ本体を前記コネクタハウジングにロック可能とする係合部とを備え、
前記キャップ本体は、前記コネクタハウジングが前記コネクタ収容部に挿入されるときに、前記コネクタ収容部の口縁と当接することで前記係合部によるロックを解除するようになっていることを特徴とするコネクタ用キャップ。
【請求項２】
前記キャップ本体は、前記タブの周りを取り囲むように筒状に曲げ形成され、その周方向を分断して延びる両端部が互いに向き合せ状態もしくは重ね合せ状態となっており、且つ、
前記キャップ本体あるいは前記コネクタ収容部の口縁には、前記キャップ本体の両端部が互いに離間するような開き動作を誘導する拡開案内部が設けられており、
前記キャップ本体は、前記コネクタハウジングが前記コネクタ収容部に挿入されるにともない前記拡開案内部によって拡開変形され、その拡開変形された状態で前記コネクタハウジングに対して後方へ相対変位するようになっていることを特徴とする請求項１記載のコネクタ用キャップ。
【請求項３】
前記キャップ本体の両端部は、互いに重ね合せ状態とされるともに、互いに係合することでキャップ本体が閉じられた状態を維持可能なキャップロック部を備え、前記コネクタハウジングが前記コネクタ収容部に挿入されるときに、前記拡開案内部と係合して前記キャップロック部によるロックが外れるようになっていることを特徴とする請求項２記載のコネクタ用キャップ。
【請求項４】
前記係合部あるいは前記被係合部には、前記コネクタハウジングが前記コネクタ収容部に挿入されるときに、相手側と摺接して前記係合部によるロックを解除方向へ誘導するような前記コネクタハウジングの挿入方向に沿った解除案内面が形成されていることを特徴とする請求項１ないし３に記載のコネクタ用キャップ。
【請求項５】
枠状のコネクタ収容部と、このコネクタ収容部に収容保持されるコネクタハウジングと、このコネクタハウジングのキャビティに挿入されて先端のタブを前記コネクタハウジングの前面から突出させた状態で配する雄型端子金具とを備えたコネクタであって、
前記コネクタハウジングが前記コネクタ収容部に収容される前の状態で前記タブを保護する仮保護用のキャップが装着され、このキャップは、前記タブの周りを取り囲むキャップ本体と、このキャップ本体に設けられて前記コネクタハウジング側の被係合部と係合することにより、前記キャップ本体を前記コネクタハウジングにロック可能とする係合部とを備え、
前記キャップ本体は、前記コネクタハウジングが前記コネクタ収容部に挿入されるときに、前記コネクタ収容部の口縁と当接することで前記係合部によるロックを解除するようになっていることを特徴とするコネクタ。
【請求項６】
前記コネクタ収容部の口縁には、前記コネクタハウジングが挿入されたときに、前記キャップ本体をガイドして前記コネクタハウジングを正規の挿入姿勢へと矯正する位置決め部が設けられていることを特徴とする請求項５に記載のコネクタ。
【発明の詳細な説明】
【０００１】
【発明の属する技術分野】
本発明は、コネクタおよびコネクタ用キャップに関する。
【０００２】
【従来の技術】
従来より、以下の特許文献１に開示された分割コネクタが知られている。この分割コネクタには、複数の雄コネクタをフレームに収容させた雄コネクタ部が備えられている。各雄コネクタは、コネクタハウジングと、その前面の周縁部より前方へ延出されるフードとから一体に形成され、このフードは、コネクタハウジングの前面から突出する雄端子金具のタブを取り囲むようになっている。また、フレームには、前後方向に貫通して複数のコネクタ収容室が区画されており、各雄コネクタは、各コネクタ収容室に個別に収容可能とされている。
【０００３】
【特許文献１】
特開平１０−２４１８０１号公報
【０００４】
【発明が解決しようとする課題】
ところで、上記従来の技術によれば、各雄コネクタがフレームに収容された後にフードは不要となることから、このフードの分だけでもコネクタ小型化の要請に応えるべくフードを取り去った態様のものが望ましいとも考えられる。しかしそうなると、雄端子金具のタブが露出した状態となるため、タブの変形や破損が生じる懸念があって妥当でない。
【０００５】
そこで、雄コネクタの前面に雄端子金具のタブの周囲を取り囲む仮保護用のキャップを着脱可能に取付け、雄コネクタがフレームに収容される際には、キャップを取り外すようにしたものが考案され得る。しかしこの場合であっても、フレームに収容される直前にはキャップが取り外されて一時的にタブが露出状態とされるため、タブの変形や破損が生じる懸念を完全に払拭することができない。
【０００６】
本発明は上記のような事情に基づいて完成されたものであって、タブの変形や破損が生じるのを確実に防止することを目的とする。
【０００７】
【課題を解決するための手段】
上記の目的を達成するための手段として、請求項１の発明は、枠状のコネクタ収容部に収容保持されるコネクタハウジングと、このコネクタハウジングのキャビティに挿入されて先端のタブを前記コネクタハウジングの前面から突出させた状態で配する雄型端子金具とを備えたコネクタに対し、前記コネクタハウジングが前記コネクタ収容部に収容される前の状態で前記タブを保護する仮保護用のキャップであって、前記タブの周りを取り囲むキャップ本体と、このキャップ本体に設けられて前記コネクタハウジング側の被係合部と係合することにより、前記キャップ本体を前記コネクタハウジングにロック可能とする係合部とを備え、前記キャップ本体は、前記コネクタハウジングが前記コネクタ収容部に挿入されるときに、前記コネクタ収容部の口縁と当接することで前記係合部によるロックを解除するようになっている構成としたところに特徴を有する。
【０００８】
請求項２の発明は、請求項１に記載のものにおいて、前記キャップ本体は、前記タブの周りを取り囲むように筒状に曲げ形成され、その周方向を分断して延びる両端部が互いに向き合せ状態もしくは重ね合せ状態となっており、且つ、前記キャップ本体あるいは前記コネクタ収容部の口縁には、前記キャップ本体の両端部が互いに離間するような開き動作を誘導する拡開案内部が設けられており、前記キャップ本体は、前記コネクタハウジングが前記コネクタ収容部に挿入されるにともない前記拡開案内部によって拡開変形され、その拡開変形された状態で前記コネクタハウジングに対して後方へ相対変位するようになっているところに特徴を有する。
【０００９】
請求項３の発明は、請求項２に記載のものにおいて、前記キャップ本体の両端部は、互いに重ね合せ状態とされるともに、互いに係合することでキャップ本体が閉じられた状態を維持可能なキャップロック部を備え、前記コネクタハウジングが前記コネクタ収容部に挿入されるときに、前記拡開案内部と係合して前記キャップロック部によるロックが外れるようになっているところに特徴を有する。
【００１０】
請求項４の発明は、請求項１ないし３に記載のものにおいて、前記係合部あるいは前記被係合部には、前記コネクタハウジングが前記コネクタ収容部に挿入されるときに、相手側と摺接して前記係合部によるロックを解除方向へ誘導するような前記コネクタハウジングの挿入方向に沿った解除案内面が形成されている構成としたところに特徴を有する。
【００１１】
請求項５の発明は、枠状のコネクタ収容部と、このコネクタ収容部に収容保持されるコネクタハウジングと、このコネクタハウジングのキャビティに挿入されて先端のタブを前記コネクタハウジングの前面から突出させた状態で配する雄型端子金具とを備えたコネクタであって、前記コネクタハウジングが前記コネクタ収容部に収容される前の状態で前記タブを保護する仮保護用のキャップが装着され、このキャップは、前記タブの周りを取り囲むキャップ本体と、このキャップ本体に設けられて前記コネクタハウジング側の被係合部と係合することにより、前記キャップ本体を前記コネクタハウジングにロック可能とする係合部とを備え、前記キャップ本体は、前記コネクタハウジングが前記コネクタ収容部に挿入されるときに、前記コネクタ収容部の口縁と当接することで前記係合部によるロックを解除するようになっているところに特徴を有する。
【００１２】
請求項６の発明は、請求項５に記載のものにおいて、前記コネクタ収容部の口縁には、前記コネクタハウジングが挿入されたときに、前記キャップ本体をガイドして前記コネクタハウジングを正規の挿入姿勢へと矯正する位置決め部が設けられているところに特徴を有する。
【００１３】
【発明の作用及び効果】
＜請求項１および請求項４の発明＞
コネクタ収容部にコネクタハウジングを挿入するときに、コネクタハウジングに装着されたキャップ本体は、コネクタ収容部の口縁と当接することで係合部によるロックを解除するようになっているから、コネクタハウジングがコネクタ収容部に収容されるまでの間、コネクタハウジングの前面から突出する雄端子金具のタブは、キャップ本体によって保護されて露出状態とされない。したがって、タブの変形や破損が生じるのを防止することができる。
【００１４】
＜請求項２の発明＞
キャップ本体は、コネクタハウジングがコネクタ収容部に挿入されるにともない開き動作を誘導する拡開案内部によって拡開変形され、その状態でコネクタハウジングに対して後方へ相対変位するようになっているから、その後退位置にて開かれた状態にあり、コネクタハウジングの後方へ延出された電線等から簡単に取り外せる。
【００１５】
＜請求項３の発明＞
キャップ本体の両端部は、このキャップ本体が閉じられた状態を維持するためのキャップロック部を備え、コネクタハウジングがコネクタ収容部に挿入されるにともない拡開案内部と係合してキャップロック部によるロックが外れるようになっているから、このキャップロック部によるロックを外すための作業負担が軽減される。また、キャップ本体は、キャップロック部で閉じられた状態を維持しているから、タブの保護がより一層確実となる。
【００１６】
＜請求項５の発明＞
係合部あるいは被係合部には、コネクタハウジングがコネクタ収容部に挿入されるときに、相手側と摺接して係合部によるロックを解除方向へ誘導するようなコネクタハウジングの挿入方向に沿った解除案内面が形成されているから、コネクタハウジングの挿入にともない簡単に係合部によるロックを解除させることが可能となる。
【００１７】
＜請求項６の発明＞
コネクタ収容部の口縁には、コネクタハウジングが挿入されたときに、キャップ本体をガイドしてコネクタハウジングを正規の挿入姿勢へと矯正する位置決め部が設けられているから、コネクタハウジングがコネクタ収容部に正規の挿入姿勢で確実に収容される。
【００１８】
【発明の実施の形態】
以下、本発明の実施形態を添付図面に基づいて説明する。
＜第１実施形態＞
本発明の第１実施形態を図１ないし図１０によって説明する。図１（Ａ）は、雄型コネクタの全体の断面図を示す。この雄型コネクタ（本発明のコネクタ）は、複数の雄型コネクタハウジング（以下、単にコネクタハウジング１０と言う）と、各コネクタハウジング１０を収容可能なケース２０とを備え、各コネクタハウジング１０には、ケース２０に収容されるまでの間キャップ３０が取付けられている。なお、以下の説明においてコネクタハウジング１０については、ケース２０に取付けられる側を前方とし、ケース２０については、コネクタハウジング１０が挿入される側を前方とする。
【００１９】
まず、コネクタハウジング１０について説明すると、コネクタハウジング１０は、合成樹脂によって略直方体状に一体形成されており、その内部には前後方向に貫通する複数のキャビティ１１が設けられ、各キャビティ１１には、雄型端子金具４０が収容されている。雄型端子金具４０の前方には、相手側の雌型端子金具（図示せず）に接続可能なタブ４１が延設されている。雄型端子金具４０がキャビティ１１に挿入されると、タブ４１は、コネクタハウジング１０の前面から前方へ突出した状態とされる。なお、コネクタハウジング１０においてキャビティ１１を形成する壁面の一部には、上下に撓み可能なランス（図示せず）が設けられており、雄型端子金具４０を抜け止め状態で係止可能としてある。
【００２０】
そして、コネクタハウジング１０の左右両側壁において前寄りの高さ方向略中央部には、図５および図６に示すように、左右一対の被係合部１２が凹み形成されている。このコネクタハウジング１０の被係合部１２は、後述するキャップ３０側の係合部３５と係合可能とされ、係合部３５との凹凸の嵌め合いによってキャップ３０をコネクタハウジング１０に取付け可能としている。具体的には被係合部１２は、高さ方向に縦長の有底角穴状に形成され、コネクタハウジング１０の左右両側壁において互いにほぼ同じ高さ位置に配されている。
【００２１】
続いてケース２０について説明する。ケース２０は、図１０に示すように、前端から中央部にかけて複数室のコネクタ収容室２１を横並び状に保有するコネクタ収容部２２と、その後方に一体に形成されて、一つの大きな開口部を保有する相手コネクタ収容部２３とから構成される。相手コネクタ収容部２３とコネクタ収容部２２とは、境界となる中央部にて互いに連通可能となっており、且つ、その中央部において、相手コネクタ収容部２３に収容された雌型コネクタハウジング（図示せず）の雌型端子金具と、コネクタ収容部２２に収容されたコネクタハウジング１０の雄型端子金具４０とが導通接続されるようになっている。
相手コネクタ収容部２３は、コネクタ収容部２２よりも一回り大きなサイズで横長角筒状に形成され、その内部には複数の雌側コネクタハウジングを一括収容してなるフレーム（図示せず）が嵌入されるようになっている。一方、コネクタ収容部２２は、仕切り壁２４を境として横方向に並ぶ複数のコネクタ収容室２１を備え、各コネクタ収容室２１には、コネクタハウジング１０が個別に嵌入可能なようになっている。
【００２２】
そして、コネクタ収容部２２の口縁（コネクタ収容部２２において各コネクタ収容室２１の前面開口縁）には、後述するキャップ３０の前端縁と係合することで各コネクタハウジング１０を対応するコネクタ収容室２１へ誘導可能な位置決め部２５が設けられている。この位置決め部２５は、コネクタ収容部２２の口縁のうち上下の縁部において各コネクタ収容室２１毎にリブ状に突設されている。
コネクタハウジング１０がコネクタ収容部２２に挿入されるとき、コネクタハウジング１０の前部に取り付けられたキャップ３０は、位置決め部２５を内側に嵌め込まれることにより、対応するコネクタ収容室２１と整合するようになり、もってコネクタハウジング１０が対応するコネクタ収容室２１へ確実に挿入されるようになっている。
【００２３】
次にキャップ３０について説明すると、このキャップ３０は、コネクタハウジング１０がコネクタ収容部２２に収容される前の状態でタブ４１を仮保護するものであって、コネクタハウジング１０に取り付けられる合成樹脂製のキャップ本体３１を備えている。キャップ本体３１は、図７に示すように、天井板部３２と、天井板部３２の左右両端を下方へ直角曲げして形成される左右の両側板部３３と、両側板部３３の下端を内側に直角曲げして幅方向中央位置にて互いの両端部をほぼ向き合せ状態とした底板部３４とからなり、全体として矩形筒状でほぼ閉じられた形態となっている。キャップ本体３１がコネクタハウジング１０に取り付けられると、図１（Ｂ）に示すように、左右の両側板部３３は、コネクタハウジング１０の左右両側壁にほぼ沿って配される一方、天井板部３２と底板部３４とは、夫々、コネクタハウジング１０の上壁と下壁との間に隙間を空けて配される。この隙間には、コネクタ収容部２２の口縁に設けられた位置決め部２５が進入可能となっている。
【００２４】
また、キャップ本体３１は、その奥行き寸法がコネクタハウジング１０の前面から突出するタブ４１の長さよりも長く設定され、タブ４１が突出する突出空間を完全に包囲するようになっている。そして、キャップ本体３１は、常にはほぼ閉じられた形態となっているものの、外力の作用によって向き合せ状態の両端部が互いに離間する方向へ拡開変形されるようになっており、さらにその外力の作用がなくなると元のほぼ閉じられた状態に弾性復元するようになっている。
【００２５】
また、キャップ本体３１の両側板部３３の内面における後端寄りの位置には、コネクタハウジング１０の被係合部１２と対応する左右一対の係合部３５が設けられている。この係合部３５は、被係合部１２と係合してキャップ本体３１をコネクタハウジング１０にロック状態で保持するものであって、被係合部１２に係入可能なように高さ方向に突条をなしている。また、係合部３５の後面は、テーパ状に傾いており、コネクタハウジング１０がコネクタ収容部２２に挿入されるときに、被係合部１２と摺接してロックを解除方向へ誘導するように、コネクタハウジング１０の挿入方向に沿った解除案内面６０とされている。係合部３５の前面も、テーパ状に傾いており、中心部を挟んで後面（解除案内面６０）と対称位置する関係にある。
【００２６】
次に、本実施形態の作用を説明する。まず、コネクタハウジング１０の前部にキャップ本体３１を取り付ける。キャップ本体３１にコネクタハウジング１０の前部を嵌め込むと、キャップ本体３１が僅かに拡開変形された後、キャップ本体３１の係合部３５がコネクタハウジング１０の被係合部１２に係入されて、キャップ３０がコネクタハウジング１０にロックされるようになる。続いて、コネクタハウジング１０のキャビティ１１に後方から雄型端子金具４０を挿入する。このとき、コネクタハウジング１０の前面から突出するタブ４１は、キャップ３０によって保護されるようになる。
【００２７】
次に、コネクタハウジング１０をケース２０のコネクタ収容部２２に収容させる操作について説明する。まず、図２（Ａ）に示すように、キャップ本体３１をコネクタ収容部２２の口縁に当接させ、その状態でコネクタハウジング１０を押し込む。すると、キャップ本体３１は、図３（Ａ）に示すように、コネクタ収容部２２の口縁に当て止めされた状態でその場に残る一方、コネクタハウジング１０は、キャップ本体３１の拡開変形にともなう係合部３５によるロックの解除により、キャップ本体３１に対して前方へ相対変位する。この間、係合部３５の解除案内面６０が被係合部１２の穴壁を摺接することで係合部３５によるロックの解除がなされるようになっている。また、キャップ本体３１がコネクタ収容部２２の口縁の位置決め部２５を内側に嵌め込むことにより、コネクタハウジング１０が正規の挿入姿勢に矯正されて対応するコネクタ収容室２１と正対して配されるようになっている。
【００２８】
それからコネクタハウジング１０をさらに押し込み、コネクタハウジング１０のみを対応するコネクタ収容室２１に正規の挿入深さで収容させる。コネクタ収容部２２においてコネクタ収容室２１の奥壁には、コネクタハウジング１０に対する前止まり壁２１Ａが設けられているため、コネクタハウジング１０のこれ以上の前進が規制されるようになっている。また、図示しないがコネクタ収容部２２においてコネクタ収容室２１の内壁面には、撓み可能なロックアームが設けられ、コネクタハウジング１０側の係止突部（図示せず）を係止することにより、コネクタハウジング１０が後方へ抜け止めされるようになっている。
一方、コネクタ収容部２２の口縁に残ったキャップ本体３１は、コネクタハウジング１０に対して後方へ相対変位しているため、コネクタハウジング１０の後面から後方へ延出された電線７０の途中位置に引っ掛った状態とされる。この電線７０からキャップ本体３１を取り外すには、キャップ本体３１を拡開させて両端部を互いに離間させ、その離間スペースを通してキャップ本体３１を引き抜くようにする。その後、キャップ本体３１は、弾性復元して元の閉じられた形態に戻るため、再利用することが可能である。
【００２９】
このように本実施形態によれば、コネクタハウジング１０をコネクタ収容部２２に収容させる過程で係合部３５によるロックを解除するようにしているから、その間にタブ４１が露出状態とされることがなく、もってタブ４１の変形や破損が生じるのを確実に防止することができる。また、係合部３５によるロックは、解除案内面６０を利用したいわゆるセミロック構造となっているので、コネクタハウジング１０にことさら強い押し込み力を与えなくてもロックの解除が可能となっている。
【００３０】
＜第２実施形態＞
次に、本発明の第２実施形態を図１１ないし図１６によって説明する。第２実施形態では、第１実施形態と違って、キャップ本体３１の周方向を分断する両端部が互いに重ね合せ状態とされるとともに、その両端部が互いに係合するようにしてある。その他は、第１実施形態とほぼ同様であるから、同一部位には同一符号を付し、重複する説明は省略する。
【００３１】
第２実施形態のキャップ本体３１は、図１１（Ｂ）に示すように、両側板部３３のうち一方の側板部３３の上端から内側へ直角曲げして中央部に至るまで延出される第１水平部３８と、他方の側板部３３の上端から内側へ直角曲げして途中より段部３９Ａを介して第１水平部３８の上面に重ね合せ状態で延出される第２水平部３９とを備えている。
【００３２】
そして、第１水平部３８の先端部には、爪部３８Ａが突設される一方、第２水平部３９において爪部３８Ａと対応する部分には、受け部３９Ｂが幅方向に長孔状に貫設されている。これら爪部３８Ａと受け部３９Ｂとにより本発明のキャップロック部が構成されている。ここで、爪部３８Ａが下方より受け部３９Ｂに係入されることにより、キャップ本体３１が閉じられた状態を維持可能となっている。
また、第１水平部３８は、第２水平部３９の先端より奥方へ引っ込んだ位置に先端位置が設定されており、且つ、その先端部が上方へ屈曲されて第１斜辺部３８Ｂとなっている。第２水平部３９は、第１斜辺部３８Ｂと対応する箇所が第１斜辺部３８Ｂにほぼ沿って屈曲されている。底板部３４において第１斜辺部３８Ｂと軸心を挟んだ略対称位置には、下方へ屈曲される第２斜辺部３２Ａが形成されている。かくして、キャップ本体３１において第１および第２斜辺部３８Ｂ，３２Ａを境とした前方領域は、その後方領域に対し、幅方向に関しては同幅をもって延出するものの、高さ方向に関しては拡開をもって延出するようになっている。
【００３３】
一方、ケース２０のコネクタ収容部２２は、図１６に示すように、上部が下部よりも厚肉となっており、コネクタ収容部２２の口縁のうち各コネクタ収容室２１と対応した下部には、位置決め部２５が薄肉状に突設されるとともに、各コネクタ収容室２１と対応した上部には、拡開案内部９０が厚肉状に突設されている。そして、拡開案内部９０の前面は、上向きに傾斜する拡開案内面９０Ａとされている。コネクタハウジング１０がコネクタ収容部２２に挿入されると、拡開案内部９０にキャップ本体３１側の第２水平部３９が乗り上がり、第２水平部３９と第１水平部３８との係合が解かれるとともに第２水平部３０が第１水平部３８から離間され、もってキャップ本体３１の開き動作が誘導されるようになっている。
【００３４】
次に、コネクタハウジング１０をコネクタ収容部２２に挿入する操作について説明する。まず、図１２（Ａ）に示すように、キャップ本体３１の内側に位置決め部２５を嵌め込むことでコネクタハウジング１０を正規の挿入姿勢とするとともに、第２水平部３９に拡開案内部９０を当接させることで第２水平部３９の前縁が拡開案内面９０Ａを摺動可能な状態とする。そして、図１３（Ａ）に示すように、コネクタハウジング１０の押し込みにより、第２水平部３９に拡開案内面９０Ａを乗り越えさせ、第２水平部３９と第１水平部３８との間隙を広げることでキャップ本体３１を開き気味の状態とする。このとき、第２水平部３９は、拡開案内部９０に持ち上げられるようにして第１水平部３８との間隙を広げている。キャップ本体３１の開き程度が増大することにより、爪部３８Ａと受け部３９Ｂとの係合が解かれてキャップロックが解除方向へ誘導されるようになる。
【００３５】
第２水平部３９に拡開案内面９０Ａを乗り越えさせると、第１水平部３８が拡開案内部９０と当接する位置に至るから（第１斜辺部３８Ｂが拡開案内面９０Ａと密着して掛り代を増大させている）、さらなるコネクタハウジング１０の押し込みにより、図１４（Ｂ）に示すように、爪部３８Ａと受け部３９Ｂとのロックを解除してコネクタハウジング１０が前方への相対変位を開始可能な状態とする。この段階でキャップ本体３１は、第２水平部３９が起立方向へ傾動して第１水平部３８との間隙を一層広げているから、相当に開いた状態となっている。よって、図１５（Ａ）に示すように、コネクタハウジング１０が対応するコネクタ収容室２１に正規の挿入深さで収容された後には、キャップ本体３１を図１５（Ｂ）に示す矢印方向へ手指等で持ち上げるだけでコネクタハウジング１０や電線７０等から容易に離脱させることが可能となる。
【００３６】
このように第２実施形態によれば、拡開案内部９０によってキャップ本体３１が開いた状態へ誘導され、それにともない爪部３８Ａと受け部３９Ｂとによるキャップロックが外れるようになっているから、このキャップロックを外すための作業負担が軽減される。
また、キャップ本体３１は、コネクタハウジング１０がコネクタ収容部２２に収容される前に、爪部３８Ａと受け部３９Ｂとによるキャップロックで閉じられた状態を維持しているから、タブの保護がより一層確実となる。
【００３７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３８】
（１）コネクタ収容部は、必ずしも複数のコネクタ収容室によって構成されていなくてもよく、一つのコネクタ収容室を備えるだけでも構わない。すなわち、上記実施形態では分割式の雄型コネクタであったが、本発明によれば通常の雄型コネクタであってもよい。
（２）係合部が凹設され、被係合部が凸設されていてもよい。
（３）解除案内面は、係合部の後面に限らず、被係合部の対応する穴壁に設けられていても構わない。
【００３９】
（４）キャップ本体は、コネクタハウジングがコネクタ収容部に挿入されるときに、複数片に切り離される態様であっても構わない。
【００４０】
（５）拡開案内部は、コネクタ収容部の口縁に限らず、キャップ本体側に設けられていても構わない。
（６）キャップロック部は、撓み可能なロックアームとそれと係合する受け部とから構成されるものであってもよく、あるいは、一対のフックが略水平方向で引掛け状態で係合するようにしたものであってもよい。
（７）キャップロック部がロックアームと受け部とから構成される場合には、拡開案内部は、コネクタハウジングがコネクタ収容部に挿入されるにともないロックアームと受け部との隙間に進入するような形態（例えば楔形）であればよい。また、キャップロック部が一対のフックによって構成される場合には、コネクタハウジングがコネクタ収容部の挿入されるにともない、フックの係合箇所に略水平方向にロック解除する態様であればよい。要は、拡開案内部は、コネクタハウジングがコネクタ収容部に挿入されるときに、キャップロック部に作用してそのロックを外す方向へ誘導するような形態であればよい。
（８）キャップロック部のないキャップ本体に対して拡開案内部を適用しても構わない。すなわち、そのようなキャップ本体は、拡開案内部によって開いた状態となるから、弾性復元しないとすれば、その開いた状態で後方へ相対変位してその後方位置にて簡単に取り外せる。
【図面の簡単な説明】
【図１】（Ａ）本発明の第１実施形態のコネクタの横断面図
（Ｂ）同じくキャップの背面図
【図２】（Ａ）コネクタハウジングがコネクタ収容部に挿入される状態を示す横断面図
（Ｂ）同じくキャップの背面図
【図３】（Ａ）挿入が進んだ状態を示す横断面図
（Ｂ）同じくキャップの背面図
【図４】（Ａ）コネクタハウジングがコネクタ収容部に収容された状態を示す横断面図
（Ｂ）同じくキャップの状態変化図
【図５】コネクタハウジングの側面図
【図６】コネクタハウジングの平面図
【図７】キャップの正面図
【図８】図７のＡ−Ａ断面図
【図９】キャップの側面図
【図１０】ケースの斜視図
【図１１】（Ａ）本発明の第２実施形態のコネクタの縦断面図
（Ｂ）同じくキャップの側断面図
【図１２】（Ａ）コネクタハウジングがコネクタ収容部に挿入される状態を示す縦断面図
（Ｂ）同じくキャップの側断面図
【図１３】（Ａ）挿入が進んだ状態を示す縦断面図
（Ｂ）同じくキャップの側断面図
【図１４】（Ａ）さらに挿入が進んだ状態を示す縦断面図
（Ｂ）同じくキャップの側断面図
【図１５】（Ａ）コネクタハウジングがコネクタ収容部に収容された状態を示す縦断面図
（Ｂ）同じくキャップの側断面図
【図１６】ケースの斜視図
【符号の説明】
１０…コネクタハウジング
１２…被係合部
２２…コネクタ収容部
２５…位置決め部
３０…キャップ
３１…キャップ本体
３５…係合部
４０…雄型端子金具
４１…タブ
６０…解除案内面
９０…拡開案内部
【図１】
2004327076.tif 000003
【図２】
2004327076.tif 000004
【図３】
2004327076.tif 000005
【図４】
2004327076.tif 000006
【図５】
2004327076.tif 000007
【図６】
2004327076.tif 000008
【図７】
2004327076.tif 000009
【図８】
2004327076.tif 000010
【図９】
2004327076.tif 000011
【図１０】
2004327076.tif 000012
【図１１】
2004327076.tif 000013
【図１２】
2004327076.tif 000014
【図１３】
2004327076.tif 000015
【図１４】
2004327076.tif 000016
【図１５】
2004327076.tif 000017
【図１６】
2004327076.tif 000018